(57)【要約】【課題】      ディスクのセンター孔の支持及び支持解除がスムーズにできて、センター孔部分の破損がなく、また支持爪の欠損を防止するディスクケースを提供する。【解決手段】  箱体１と、この箱体の周壁一辺側に適宜のヒンジ２を介し上記箱体の開口３を開閉するように設けた蓋体４とでケースを形成し、この箱体及び蓋体の片方の主壁５の中央部に前記主壁の裏面方向に突出する歪壁１１を設け、この歪壁の裏面中央に指先による加圧用突出部１３を、また上記歪壁の裏面上記突出部の周りに突出する所要数一組のディスクのセンター孔の保持爪１４を設けたディスクケース。【選択図】    図１
2005149573.tif 000002
【特許請求の範囲】
【請求項１】
箱体と、この箱体の周壁一辺側に適宜のヒンジを介し上記箱体の開口を開閉するように設けた蓋体とでケースを形成し、この箱体及び蓋体の片方の主壁の中央部に前記主壁の裏面方向に突出する歪壁を設け、この歪壁の裏面中央に指先による加圧用突出部を、また上記歪壁の裏面上記突出部の周りに突出する所要数一組のディスクのセンター孔の保持爪を設けたことを特徴とするディスクケース。
【請求項２】
上記ディスクケースの歪壁の存在しない側の内面に、上記ケースの閉鎖状況下に保持爪の傾動阻止手段を設けたことを特徴とする請求項１に記載のディスクケース。
【発明の詳細な説明】
【技術分野】
【０００１】
この発明は、ケースに収納するディスクを保持するディスクケースに関する。
【背景技術】
【０００２】
箱体と、この箱体の周壁一辺側にヒンジを介し開閉自在に設けた蓋体とで形成したディスクケースにディスクを収納する際、ディスクケース内でのディスクの移動を止めて安定よく支持するため、ディスクケース内に設けてある保持装置によってディスクのセンター孔の縁を保持するようになっている（例えば、特許文献１、特許文献２及び特許文献３）。
【０００３】
【特許文献１】特開平７−２５７６７５号公報
【特許文献２】実用新案登録第３０４１８８４号
【特許文献３】特開２０００−３１８７８２号公報
【発明の開示】
【発明が解決しようとする課題】
【０００４】
ところで、特許文献１の構成によると、収納部の内底の中央にボス部を一体に突設し、このボス部が、中央孔と中央孔から放射状の切り込みとによってディスクのセンターホールの圧入にともない弾性変形により縮径し、圧入完了にともない拡径によりセンターホールに圧接するようにしている。
【０００５】
しかしながら、弾性拡縮変形の度合いが弱い（圧接力）と、振動や衝撃が加わると、ボス部からセンターホールが離脱し、この離脱にともないディスクの記録面に傷が付くので、圧接力が強くしてある。
【０００６】
すると、ディスクの取り外しにともないディスクのセンターホールの縁による縮径変形に強い力を作用させるので、センターホールの欠損が発生する問題があった。
【０００７】
また、特許文献２の構成によると、シートに隆起部とセンターコア及びセンターコアの外周面にディスクの中心孔に係合（圧接による）するテーパー面部を一体的に成形したものである。
【０００８】
すると、中心孔の押し込みにともない中心孔の縁に対するテーパー面部の圧接力が弱いと振動や衝撃にともない離脱する。
【０００９】
さらに、特許文献３の構成によると、保持部をなす嵌合爪のうち一部の嵌合爪が、支持体を介し連続した両持ち支持として、半径方向への嵌合爪の移動を規制し、この規制によって嵌合爪の補強体として機能させ、保持部の直径方向の剛性が強化されるようにしたものである。
【００１０】
すると、落下等の衝撃に起因する嵌合爪全体の破損や損傷が防止できても、ディスクの取り外しにともない保持部の強い剛性によってセンター孔の縁の欠損が発生しやすい問題があった。
【００１１】
そこで、この発明の課題は、ディスクの取り外しにともないセンター孔の欠損をなくすると共に、ケース内でのディスクの移動を止めて記録面に傷が付くのを防止するディスクケースを提供することにある。
【課題を解決するための手段】
【００１２】
上記のような課題を解決するために、この発明は、箱体と、この箱体の周壁一辺側に適宜のヒンジを介し上記箱体の開口を開閉するように設けた蓋体とでケースを形成し、この箱体及び蓋体の片方の主壁の中央部に前記主壁の裏面方向に突出する歪壁を設け、この歪壁の裏面中央に指先による加圧用突出部を、また上記歪壁の裏面上記突出部の周りに突出する所要数一組のディスクのセンター孔の保持爪を設けた構成を採用する。
【００１３】
この発明において、把持したディスクのセンター孔を円周上の点在保持爪の外側に嵌装したのち、ディスクのセンター孔の周囲外側を押し込む。
【００１４】
押し込みにともない各保持爪が歪壁の中心方向に押し逃がされ、この押し逃がしによって歪壁が歪んで各保持爪の中心方向への移動がスムーズになって、センター孔に対する各保持爪の嵌入が容易になる。
【００１５】
嵌入後の保持爪には、歪壁の元に戻る力で押し逃がしによる反発力が作用し、センター孔の縁に各保持爪を圧接する。
【００１６】
ディスクの取り外しに際し、指先で突出部を加圧する。
【００１７】
すると、加圧にともない歪壁の歪みにともない各保持爪を中心方向に傾倒させるので、センター孔の縁に対する各保持爪の圧接が解消される。
【００１８】
また、ディスクケースの歪壁の存在しない側の内面に、上記ケースの閉鎖状況下に保持爪の傾動阻止手段を設けた構成を採用する。
【００１９】
この発明において、ディスクケースの閉鎖状況下に傾動阻止手段によって保持爪の傾動を阻止するので、振動や衝撃によって保持爪が傾動しようとしても傾動が阻止され、ディスクを安定よく確実に保持する。
【発明の効果】
【００２０】
以上のように、この発明のディスクケースによれば、主壁の歪壁に保持爪を設けてあるので、保持爪の外側にセンター孔を嵌め込む際、センター孔の縁と各保持爪との接触にともなう保持爪の円周上から縮径方向の押し逃がし歪壁の歪みによってスムーズに行うことができる。
【００２１】
このため、センター孔の縁の欠損やクラックの発生などがなく、センター孔の保持爪による保持が容易になる。
【００２２】
また、突出部を指先で加圧することにより歪壁を歪ませて各保持爪が中心方向に傾倒させるので、センター孔縁に対する各保持爪の圧接が解消される。
【００２３】
このため、ディスクの取り外しがスムーズになり、ディスクのセンター孔縁の欠損やクラックの発生がないと共に保持爪の損傷もない。
【００２４】
また、ディスクケースの閉鎖状況下に傾動防止手段によって保持爪の傾動を阻止するので、振動や落下などによる衝撃によって保持爪が傾動しようとしても傾動が阻止される。
【００２５】
このため、ディスクの保持が安定よく維持できる。
【発明を実施するための最良の形態】
【００２６】
以下、この発明の実施の形態を添付図面に基づいて説明する。
【００２７】
図１及び図２に示すディスクケースＫは、箱体１と、この箱体１の周壁一辺側に適宜のヒンジ２を介し箱体１の開口３を開閉するように設けた蓋体４とで構成されている。
【００２８】
上記の箱体１及び蓋体４は、主壁５と、この主壁５の辺縁から連なって主壁５の裏面方向に突出する周壁６とで（図示の場合、蓋体４の周壁６と箱体４の周壁６とが内と外とに嵌装するようになっているが、嵌装を逆にすることもある）構成され、ヒンジ２は、図示の場合、箱体１の一辺の両端を平行二辺の周壁６から切り離して連結壁７とし、この連結壁７と箱体１の主壁５との連結線上にハーフカットのヒンジ２を、連結壁７にハーフカットのヒンジ２を介し蓋体４の主壁５を連成したが、箱体１にピンヒンジ（図示省略）を介し蓋体４を開閉自在に取り付けてもよい。
【００２９】
また、箱体１及び蓋体４の片方の主壁５の内面中央には、主壁５の裏面方向に突出する歪壁１１が設けてある。
【００３０】
上記の歪壁１１は、図示の場合主壁５から内方に突出する筒状壁２１と、この筒状壁２１の突出端を閉鎖する閉鎖壁２２とで構成されている。
【００３１】
さらに、歪壁１１の中央部には、蓋体４の裏面方向に突出する指先による加圧用の突出部１３が、この突出部１２の周りには、歪壁１１から突出する点在的な配置の保持爪１４が設けてある。
【００３２】
上記の突出部１２は、図示の場合歪壁１１から突出する筒状壁と、この筒状壁の突出端を閉鎖する端壁とで形成され、保持爪１４は、歪壁１１から連なって突出させて（いづれも同時成形による）ある。
【００３３】
そして、各保持爪１４の突出端縁の突出部１２の反対側面に角落ちのテーパー面部１５を設けて、各保持爪１４の外側にディスクＡのセンター孔ａの初期嵌め込みが容易になるようにしてある。
【００３４】
なお、突出部１３及び保持爪１４を有する歪壁１１は、図示の場合箱体１の主壁５に設けたが、蓋体４の主壁５側に設けてもよい。
【００３５】
勿論、箱体１と蓋体４の両主壁５に設けて、一つのディスクケースＫに二枚のディスクＡを収納するようにしてもよい。
【００３６】
上記歪壁１１の歪み（加圧力による変形）度合いは、例えば歪壁１１の肉厚を適宜に決定すればよい。
【００３７】
すなわち、主壁５から連なって一体成型する歪壁１１の肉厚を所望の板厚にするか、あるいは歪壁１１に放射状のスリットや長孔を設けて（図示省略）調整すればよい。
【００３８】
図中１６は、ディスクＡの板面当り部である。
【００３９】
次に、ディスクＡの支持及び支持解除を説明する。
【００４０】
円周上の点在的配置の保持爪１４の突出方向端外側にディスクＡのセンター孔ａを嵌め込み、次いでディスクＡの支持及び支持解除を説明する。
【００４１】
加圧にともないテーパー面部１５から保持爪１４の外側にセンター孔ａが移動するにともない各保持爪１４が歪壁１１の中心方向に押し逃がされ、この押し逃がしによって歪壁１１が歪んで各保持爪１４の中心方向（縮径方向）への移動がスムーズになって、保持爪１４に対するセンター孔ａの嵌入がスムーズになる。
【００４２】
このスムーズが嵌入によってディスクＡのセンター孔ａ縁の破損（欠損やクラックが入るような）がなく、また無理矢理な押し込みにともなう保持爪１４の折れなどがない。
【００４３】
勿論、歪壁１１の復元しようとする力によってセンター孔ａに保持爪１４を圧接してディスクＡを支持する。
【００４４】
ディスクＡを取り外す場合、指先によって突出部１３に（図５に示す）加圧力を作用させる。
【００４５】
すると、歪壁１１の中央部分が主壁５の表面側に歪んで、各保持爪１４が突出部１３の方向に傾倒して、センター孔ａに対する各保持爪１４の圧接が解消される。
【００４６】
この状況下でディスクＡを取り外す。
【００４７】
なお、保持爪１４の突出位置を筒状壁２１からはずれた内側に設けることによって、歪壁１１の歪み（変形）による傾倒がスムーズになる。
【００４８】
また、図６及び図７に示すように、ディスクケースＫの歪壁１１の存在しない側の主壁５の内面には、ディスクケースＫの閉鎖状況下にセンター孔ａに対する保持爪１４の遊離をなくする保持爪１４の傾動阻止手段Ｓが設けてある。
【００４９】
上記の傾動阻止手段Ｓとしては、例えば図６に示すように、蓋体４の閉鎖終了直前から終了迄の間に各保持爪１４の内側に当接状に嵌入する突出片３１を設けて、突出片３１によって各保持爪１４がセンター孔ａに対して遊離する方向の傾動を阻止する。
【００５０】
その結果、ディスクケースＫに振動や衝撃が作用しても保持爪１４によるディスクＡの安定した保持を保障する。
【００５１】
また、上記の構成にかえて、図７及び図８に示すように主壁５の内面にそれぞれ或いは所要の保持爪１４の隣接側縁間にディスクケースＫの閉鎖直前から終了迄の間に嵌入する嵌入片４１を突設すると共に、この嵌入片４１と保持爪１４との接触面に楔の役目をするテーパー面部４２を（図示のように嵌入片４１が先細りになっている）設けて、ディスクケースＫの閉鎖状況下に保持爪１４がテーパー孔ａが遊離しないようにしておく。
【００５２】
なお、図９、１０、１１に示すように主壁５の内面にディスクケースＫの閉鎖状況下にディスクＡの板面が先端縁が臨んで（当接状に）ディスクＡの浮き上がり防止部５１を設けておくと、ディスクケースＫ内でのディスクＡのがたつきを防止する。
【図面の簡単な説明】
【００５３】
【図１】この発明のディスクケースの展開平面図
【図２】ディスクケースの縦断正面図
【図３】同上の要部を示す縦断拡大正面図
【図４】同平面図
【図５】ディスクの取り外しを示す縦断拡大正面図
【図６】傾動防止手段を示す縦断正面図
【図７】他の傾動防止手段を示す縦断正面図
【図８】同上の一部切欠正面図
【図９】ディスクの押え込みを示す展示平面図
【図１０】同縦断正面図
【図１１】同上の縦断拡大正面図
【符号の説明】
【００５４】
Ｋ          ディスクケース
Ａ          ディスク
ａ          センター孔
１          箱体
２          ヒンジ
３          開口
４          蓋体
５          主壁
６          周壁
７          連結壁
１１        歪壁
１２        環状壁
１３        突出部
１４        保持爪
Ｓ          傾動防止手段
３１        突出片
４１        嵌入片
４２        テーパー面部
【図１】
2005149573.tif 000003
【図２】
2005149573.tif 000004
【図３】
2005149573.tif 000005
【図４】
2005149573.tif 000006
【図５】
2005149573.tif 000007
【図６】
2005149573.tif 000008
【図７】
2005149573.tif 000009
【図８】
2005149573.tif 000010
【図９】
2005149573.tif 000011
【図１０】
2005149573.tif 000012
【図１１】
2005149573.tif 000013